(57)【要約】【課題】糸掛け作業における時間の短縮および容易にやり直しを可能とする、紡糸巻取機を提供すること。【解決手段】紡糸機から紡出された複数の糸をボビンホルダに装着された複数のボビンに巻き取る紡糸巻取機である。この紡糸巻取機に取り付けられたゴデットローラは、複数のボビンに複数の糸が巻取られるときの生産位置と、生産位置よりもボビンホルダの一端に近い糸掛け位置との間で移動可能であり、複数の振支点ガイドは、それぞれ、ゴデットローラから送られてくる複数の糸を複数のボビンに案内するときの生産位置と、生産位置にあるときよりもゴデットローラの糸掛け位置に近く、且つ、複数の振支点ガイドの間隔が小さくなるように集められた糸掛け位置と、の間で移動可能である。【選択図】図１
2015078455.tif 000002
【特許請求の範囲】
【請求項１】
紡糸装置から紡出された複数の糸が、その軸方向に沿って並べて巻掛けられるゴデットローラと、
前記ゴデットローラの軸方向と交差する所定方向に並べて配置され、前記ゴデットローラから送られる前記複数の糸がそれぞれ掛けられる複数の振支点ガイドと、
前記所定方向に沿って延び、且つ、前記所定方向に並べて複数のボビンが装着され、前記ゴデットローラから前記複数の振支点ガイドを経て送られる前記複数の糸を前記複数のボビンにそれぞれ巻き取るボビンホルダと、を備え、
前記ゴデットローラは、前記複数のボビンに前記複数の糸が巻取られるときの生産位置と、前記生産位置よりも前記ボビンホルダの一端に近い糸掛け位置との間で移動可能であり、
前記複数の振支点ガイドは、それぞれ、
前記ゴデットローラから送られてくる前記複数の糸を前記複数のボビンに案内するときの生産位置と、
前記生産位置にあるときよりも前記ゴデットローラの前記糸掛け位置に近く、且つ、前記複数の振支点ガイドの間隔が小さくなるように集められた糸掛け位置との間で移動可能であることを特徴とする紡糸巻取機。
【請求項２】
前記ゴデットローラを、前記生産位置と前記糸掛け位置との間で移動させるローラ昇降部と、
前記ローラ昇降部を制御する制御部とを有する請求項１に記載の紡糸巻取機。
【請求項３】
前記制御部によって制御され、前記複数の振支点ガイドのそれぞれを前記生産位置と前記糸掛け位置との間で移動させる振支点ガイド駆動部を有し、
前記ゴデットローラと前記振支点ガイドとが、それぞれ前記糸掛け位置にある状態から前記制御部の指令により、
前記複数の振支点ガイドが前記糸掛け位置から前記生産位置へ移動完了する前に、前記ゴデットローラを前記糸掛け位置から前記生産位置へ移動完了させることを特徴とする請求項２に記載の紡糸巻取機。
【請求項４】
前記ゴデットローラの前記糸掛け位置近傍に、前記ゴデットローラの軸方向に対して平行に列設された複数の案内部材が設けられた糸規制ガイドを備え、
前記複数の案内部材には、隣り合う一対の前記案内部材によって糸収容空間が形成され、
前記糸収容空間には、前記複数の糸がそれぞれ通されることを特徴とする請求項１〜３の何れかに記載の紡糸巻取機。
【請求項５】
前記糸規制ガイドは、前記ローラ昇降部によって、前記ゴデットローラとともに昇降可能であることを特徴とする請求項４に記載の紡糸巻取機。
【請求項６】
紡糸装置から紡出された複数の糸が、その軸方向に沿って並べて巻掛けられるゴデットローラと、前記ゴデットローラの軸方向と交差する所定方向に並べて配置され、前記ゴデットローラから送られる前記複数の糸がそれぞれ掛けられる複数の振支点ガイドと、前記所定方向に沿って延び、且つ、前記所定方向に並べて複数のボビンが装着され、前記ゴデットローラから前記複数の振支点ガイドを経て送られる前記複数の糸を前記複数のボビンにそれぞれ巻き取るボビンホルダと、を備え、
前記ゴデットローラは、前記複数のボビンに前記複数の糸が巻取られるときの生産位置と、前記生産位置よりも前記ボビンホルダの一端に近い糸掛け位置との間で移動可能であり、前記複数の振支点ガイドは、それぞれ、前記ゴデットローラから送られてくる前記複数の糸を前記複数のボビンに案内するときの生産位置と、前記生産位置にあるときよりも前記ゴデットローラの前記糸掛け位置に近く、且つ、前記複数の振支点ガイドの間隔が小さくなるように集められた糸掛け位置との間で移動可能に構成された、紡糸巻取機における糸掛け方法であって、
前記ゴデットローラを、前記生産位置から前記糸掛け位置に移動させる、ローラ第１移動工程と、
前記複数の振支点ガイドのそれぞれを、前記生産位置から前記糸掛け位置に移動させる、振支点ガイド第１移動工程と、
前記複数の糸を、前記糸掛け位置にある前記ゴデットローラに糸掛けしてから、前記糸掛け位置にある前記複数の振支点ガイドにそれぞれ糸掛けする、糸掛け工程と、
を備えていることを特徴とする紡糸巻取機における糸掛け方法。
【請求項７】
前記糸掛け工程後に、前記ゴデットローラを、前記糸掛け位置から前記生産位置に移動させる、ローラ第２移動工程と、
前記複数の振支点ガイドのそれぞれを、前記糸掛け位置から前記生産位置に移動させる、振支点ガイド第２移動工程と、
を備え、
前記振支点ガイド第２移動工程において、前記複数の振支点ガイドが前記糸掛け位置から前記生産位置へ移動完了する前に、
前記ローラ第２移動工程において、前記ゴデットローラが前記糸掛け位置から前記生産位置へ移動完了することを特徴とする請求項６に記載の紡糸巻取機における糸掛け方法。
【発明の詳細な説明】
【技術分野】
【０００１】
本発明は、紡糸機から紡出された複数の糸をボビンホルダに装着された複数のボビンに巻き取る紡糸巻取機に関する。
【背景技術】
【０００２】
従来の紡糸巻取機としては、例えば、特許文献１に記載のものがある。この紡糸巻取機は、第１ゴデットローラ、第２ゴデットローラ、巻取装置などを備える。紡糸機から連続的に紡出された複数の糸は、第１ゴデットローラおよび第２ゴデットローラによって引き取られ、下方の巻取装置に送られて、ボビンホルダに装着された複数のボビンにそれぞれ巻き取られる。また、巻取装置は、ボビンホルダの軸方向において間隔を空けて配置された複数の分配ガイドを有する。第２ゴデットローラから送られた複数の糸は、複数の分配ガイドによって分けられた後に、複数のボビンに送られてそれぞれ巻き取られる。
【０００３】
また、この紡糸巻取機には、複数の糸が巻き掛けられた第２ゴデットローラをボビンホルダの一端側の糸掛け位置に移動させた後に、複数のボビンにそれぞれ対応した複数の分配ガイドへそれぞれ糸を掛けることが開示されている。より具体的には、特許文献１の紡糸巻取機は、ボビンホルダの軸方向（分配ガイドの配列方向）に沿って移動する筒状の糸掛け部材（糸掛けガイド）を有する。まず、糸掛け部材を、ボビンホルダの糸掛け位置付近に位置させた状態で、この糸掛け部材に第２ゴデットローラに巻き掛けられた後の複数の糸をそれぞれ掛ける。次に、複数の糸が掛けられた糸掛け部材を一旦向こう側（ボビンホルダ他端側）に移動させてから、再び手前に戻す。このとき、糸掛け部材を、配列方向に対して少し傾いた方向に移動させる。これにより、糸掛け部材に掛けられている複数の糸が、配列方向に沿って並ぶ複数の分配ガイドにそれぞれ掛けられていく。
【先行技術文献】
【特許文献】
【０００４】
【特許文献１】特開２０１２−１８８７８４号公報
【発明の概要】
【発明が解決しようとする課題】
【０００５】
特許文献１の紡糸巻取機では、複数の分配ガイドに糸を掛ける際に、一旦、糸掛け部材に複数の糸を掛け、この糸掛け部材を向こう側へ移動させてから、再び手前側へ移動させる必要がある。そのため、糸掛け作業に時間がかかり、その分、廃棄される糸量が増えることとなる。また、一部の分配ガイドへの糸掛けが失敗した場合に、そのような分配ガイドにのみ糸掛けを再度行う、ということはできず、結局、全ての糸について糸掛けを最初から（糸掛け部材への糸掛けから）やり直す必要がある。
【０００６】
本発明は、上記事情に鑑みてなされたものであって、その目的は、糸掛け作業における時間の短縮および容易にやり直しを可能とする、紡糸巻取機を提供することである。
【課題を解決するための手段および発明の効果】
【０００７】
第１の発明の紡糸巻取機は、紡糸装置から紡出された複数の糸が、その軸方向に沿って並べて巻掛けられるゴデットローラと、前記ゴデットローラの軸方向と交差する所定方向に並べて配置され、前記ゴデットローラから送られる前記複数の糸がそれぞれ掛けられる複数の振支点ガイドと、前記所定方向に沿って延び、且つ、前記所定方向に並べて複数のボビンが装着され、前記ゴデットローラから前記複数の振支点ガイドを経て送られる前記複数の糸を前記複数のボビンにそれぞれ巻き取るボビンホルダと、を備え、前記ゴデットローラは、前記複数のボビンに前記複数の糸が巻取られるときの生産位置と、前記生産位置よりも前記ボビンホルダの一端に近い糸掛け位置との間で移動可能であり、前記複数の振支点ガイドは、それぞれ、前記ゴデットローラから送られてくる前記複数の糸を前記複数のボビンに案内するときの生産位置と、前記生産位置にあるときよりも前記ゴデットローラの前記糸掛け位置に近く、且つ、前記複数の振支点ガイドの間隔が小さくなるように集められた糸掛け位置との間で移動可能であることを特徴とするものである。
【０００８】
本発明では、複数の振支点ガイドを、生産位置にあるときよりもゴデットローラの糸掛け位置に近く、且つ、複数の振支点ガイドの間隔が小さくなる糸掛け位置に集め、複数の振支点ガイドにそれぞれ糸を掛ける。従って、振支点ガイドへの糸掛け時において、隣接する振支点ガイド同士の間隔が狭いため、複数の振支点ガイドへの糸掛けが容易になる。また、ゴデットローラの糸掛け位置と複数の振支点ガイドの糸掛け位置との距離が近いため、複数の振支点ガイドへの糸掛けがより容易になる。これにより、糸掛け作業に要する時間を短縮することができるため、糸掛け作業における作業性を向上させることができる。また、糸掛け時間の短縮によって、廃棄される糸の量を減らすことができるため、コストを削減することができる。
【０００９】
また、一部の振支点ガイドにおいて糸掛けが失敗した場合であっても、複数の振支点ガイドを再度糸掛け位置に戻し、糸掛けが失敗した振支点ガイドについてのみ糸掛けを行えばよいため、振支点ガイドへの糸掛けのやり直し作業も容易である
【００１０】
第２の発明の紡糸巻取機は、前記第１の発明において、前記ゴデットローラを、前記生産位置と前記糸掛け位置との間で移動させるローラ昇降部と、前記ローラ昇降部を制御する制御部とを有するものである。
【００１１】
本発明では、紡糸巻取機は、ゴデットローラを生産位置と糸掛け位置との間で移動させるローラ昇降部と、ローラ昇降部を制御する制御部とを有する。従って、ゴデットローラ昇降部を制御部によって制御し、ゴデットローラを自動で昇降させることができる。
【００１２】
第３の発明の紡糸巻取機は、前記第２の発明において、前記制御部によって制御され、前記複数の振支点ガイドのそれぞれを前記生産位置と前記糸掛け位置との間で移動させる振支点ガイド駆動部を有し、前記ゴデットローラと前記振支点ガイドとが、それぞれ前記糸掛け位置にある状態から前記制御部の指令により、前記複数の振支点ガイドが前記糸掛け位置から前記生産位置へ移動完了する前に、前記ゴデットローラを前記糸掛け位置から前記生産位置へ移動完了させることを特徴とするものである。
【００１３】
ゴデットローラおよび振支点ガイドへの糸掛け作業後、ゴデットローラが糸掛け位置から生産位置へ移動完了する前に、複数の振支点ガイドが生産位置にそれぞれ戻った場合、特に、ゴデットローラの糸掛け位置から離れた振支点ガイドに掛けられた糸の屈曲角が大きくなってしまう。糸の屈曲角が大きいと、糸と振支点ガイドとの間にかかる接触抵抗が大きくなる。これにより、ゴデットローラに巻き掛けられた糸が緩み、巻き付くなどの問題が生じるおそれがある。
【００１４】
本発明では、複数の振支点ガイドが糸掛け位置から生産位置へ移動完了する前に、ゴデットローラを糸掛け位置から生産位置へ移動完了させる。従って、振支点ガイドに掛かけられた糸の屈曲角が大きくなることを抑制することができる。これにより、ゴデットローラに巻き掛けられた糸が緩み、巻き付くなどの問題を防止することができる。
【００１５】
第４の発明の紡糸巻取機は、前記第１〜３の発明において、前記ゴデットローラの前記糸掛け位置近傍に、前記ゴデットローラの軸方向に対して平行に列設された複数の案内部材が設けられた糸規制ガイドを備え、前記複数の案内部材には、隣り合う一対の前記案内部材によって糸収容空間が形成され、前記糸収容空間には、前記複数の糸がそれぞれ通されることを特徴とするものである。
【００１６】
本発明では、ゴデットローラの糸掛け位置近傍には、ゴデットローラの軸方向に対して平行に列設された複数の案内部材が設けられた糸規制ガイドを備え、複数の案内部材は、隣り合う一対の案内部材によって糸収容空間が形成され、糸収容空間には、複数の糸がそれぞれ通されている。これにより、ゴデットローラの軸方向における複数の糸の移動をそれぞれ規制することができるため、振支点ガイドへの糸掛け時、ゴデットローラに巻き掛けられた複数の糸の脱落を防止することができる。
【００１７】
第５の発明の紡糸巻取機は、前記第４の発明において、前記糸規制ガイドは、前記ローラ昇降部によって、前記ゴデットローラとともに昇降可能であることを特徴とするものである。
【００１８】
本発明では、糸規制ガイドは、ローラ昇降部によって、ゴデットローラとともに昇降可能である。従って、ゴデットローラの近傍で、ゴデットローラの軸方向における複数の糸の位置をそれぞれ規制することができる。これにより、複数の糸の走行を安定させることができる。
【００１９】
第６の発明の紡糸巻取機における糸掛け方法は、紡糸装置から紡出された複数の糸が、その軸方向に沿って並べて巻掛けられるゴデットローラと、前記ゴデットローラの軸方向と交差する所定方向に並べて配置され、前記ゴデットローラから送られる前記複数の糸がそれぞれ掛けられる複数の振支点ガイドと、前記所定方向に沿って延び、且つ、前記所定方向に並べて複数のボビンが装着され、前記ゴデットローラから前記複数の振支点ガイドを経て送られる前記複数の糸を前記複数のボビンにそれぞれ巻き取るボビンホルダと、を備え、前記ゴデットローラは、前記複数のボビンに前記複数の糸が巻取られるときの生産位置と、前記生産位置よりも前記ボビンホルダの一端に近い糸掛け位置との間で移動可能であり、前記複数の振支点ガイドは、それぞれ、前記ゴデットローラから送られてくる前記複数の糸を前記複数のボビンに案内するときの生産位置と、前記生産位置にあるときよりも前記ゴデットローラの前記糸掛け位置に近く、且つ、前記複数の振支点ガイドの間隔が小さくなるように集められた糸掛け位置との間で移動可能に構成された、紡糸巻取機における糸掛け方法であって、前記ゴデットローラを、前記生産位置から前記糸掛け位置に移動させる、ローラ第１移動工程と、前記複数の振支点ガイドのそれぞれを、前記生産位置から前記糸掛け位置に移動させる、振支点ガイド第１移動工程と、前記複数の糸を、前記糸掛け位置にある前記ゴデットローラに糸掛けしてから、前記糸掛け位置にある前記複数の振支点ガイドにそれぞれ糸掛けする、糸掛け工程と、を備えていることを特徴とするものである。
【００２０】
本発明では、請求項１の発明と同様に、複数の振支点ガイドへの糸掛け作業における時間を短縮することができるとともに、そのやり直し作業も容易となる。
【００２１】
第７の発明の紡糸巻取機における糸掛け方法は、前記第６の発明において、前記糸掛け工程後に、前記ゴデットローラを、前記糸掛け位置から前記生産位置に移動させる、ローラ第２移動工程と、前記複数の振支点ガイドのそれぞれを、前記糸掛け位置から前記生産位置に移動させる、振支点ガイド第２移動工程と、を備え、前記振支点ガイド第２移動工程において、前記複数の振支点ガイドが前記糸掛け位置から前記生産位置へ移動完了する前に、前記ローラ第２移動工程において、前記ゴデットローラが前記糸掛け位置から前記生産位置へ移動完了することを特徴とするものである。
【００２２】
本発明では、請求項３の発明と同様に、振支点ガイドに掛かけられた糸の屈曲角が大きくなることを防止することができる。
【図面の簡単な説明】
【００２３】
【図１】紡糸巻取機の正面図である。
【図２】図１の第２ゴデットローラと第２ゴデットローラと振支点ガイドとの斜視図である。
【図３】糸規制ガイドの斜視図である。
【図４】振支点ガイドと振支点ガイドが装着されたガイド部材とガイド部材に挿通されたエアシリンダの斜視図である。
【図５】紡糸巻取機の電気的構成を概略的に示すブロック図である。
【図６】複数の振支点ガイドへの糸掛け工程を説明する図である。
【図７】糸掛け終了後のゴデットローラの移動を示す図である。
【図８】糸振支点ガイドの移動を示す図である。
【００２４】
以下、本発明の実施の形態について図面を参照しつつ説明する。
【００２５】
紡糸巻取機１００は、図１に示すように、紡糸機２から紡出された複数の糸１０を引き取る紡糸引取部１と、紡糸引取部１で引き取られた複数の糸１０を複数のボビンＢに巻き取る巻取部３とを有する。なお、以下の説明においては、後述するボビンホルダ７の先端側をオペレータが紡糸巻取機１００を操作する側である前方、その逆側を後方として説明を行う。
【００２６】
（紡糸引取部）
まず、紡糸引取部１について説明する。紡糸引取部１は、図１、図２に示すように、第１ゴデットローラ１１と、第２ゴデットローラ１２と、糸規制ガイド１４と、ローラ昇降機構４とを有する。紡糸機２から紡出された複数の糸１０は、第１ゴデットローラ１１および第２ゴデットローラ１２で引き取られ、その下方に設けられた巻取部３に送られる。
【００２７】
第１ゴデットローラ１１は、紡糸機２の直下に配置される。第１ゴデットローラ１１は、ローラ昇降機構４の長さ方向一端部（図中前方側）に設置される。ローラ昇降機構４は、その長さ方向一端部（図中前方側）が下、他端部（図中後方側）が上となるように、前後方向に対して斜めに配置されている。ローラ昇降機構４によって、第１ゴデットローラ１１は、その軸芯がボビンホルダ７の軸芯と直交して、回転可能に支持されている。
【００２８】
第２ゴデットローラ１２は、その軸芯がボビンホルダ７の軸芯と直交して配置される。第２ゴデットローラ１２は、第１ゴデットローラ１１の後方上部に配置される。第２ゴデットローラ１２は、糸掛け位置（図１、図２の鎖線で示す位置）と、生産位置（図１、図２の実線で示す位置）との間で移動可能となっている。ここで、第２ゴデットローラ１２の「糸掛け位置」とは、第２ゴデットローラ１２がローラ昇降機構４の端部に設置された第１ガイドローラ１１および後述する複数の振支点ガイド１３の糸掛け位置に近接する位置のことである。また、第２ゴデットローラ１２の「生産位置」とは、糸掛け位置よりも後方上部であり、且つ、後述する複数の振支点ガイド１３の並び方向の略中央の上方の位置のことである。
【００２９】
第２ゴデットローラ１２は、昇降ブラケット２８によって、回転可能に支持されている。この昇降ブラケット２８は、第２ゴデットローラ１２の軸心がボビンホルダ７の軸心と直交するように、ローラ昇降機構４に支持されている。ローラ昇降機構４は、ローラ昇降モータ１８とリニアガイド（不図示）などを有する。後述する制御装置１５からの指令により、ローラ昇降モータ１８が駆動することによって、昇降ブラケット２８は、リニアガイド（不図示）に沿ってローラ昇降機構４の長さ方向にスライド可能である。これにより、昇降ブラケット２８に取り付けられた第２ゴデットローラ１２は、前述した糸掛け位置と生産位置との間で移動する。
【００３０】
ローラ昇降機構４は、その長さ方向他端部（図中後方側）で、連結部材３０を介して強度部材２９によって支持されている。強度部材２９は、紡糸巻取装置１００の前後方向に対して直交するとともに、水平方向に延びている。強度部材２９は、例えば、その両端部が壁面（不図示）などに固定されたり、適当なスパンごとに床面から立ち上げられた支持部材（不図示）に固定されている。
【００３１】
糸規制ガイド１４は、図１に示すように、第２ゴデットローラ１２近傍でローラ昇降機構４に設置される。糸規制ガイド１４は、第２ゴデットローラ１２の前方に設置される。糸規制ガイド１４は、その長さ方向（後述するガイドピース１４の列設方向）が、第１ゴデットローラ１１および第２ゴデットローラ１２の軸心に対して平行となるように設置される。糸規制ガイド１４は、ローラ昇降機構４によって、第２ゴデットローラ１２とともに昇降する。
【００３２】
糸道規制ガイド１４は、図３に示すように、複数で列設されるガイドピース１４ａと、このガイドピース１４ａを支持するガイドレール１４ｂとを備える。ガイドレール１４ｂには、断面Ｃ字状の蟻溝１４ｃが形成され、この蟻溝１４ｃに係合する係合突起１４ｄが各ガイドピース１４ａに設けられている。各ガイドピース１４ａの係合突起１４ｄをガイドレール１４ｂの蟻溝１４ｃと係合させることにより、複数のガイドピース１４ａがガイドレール１４ｂによって支持され、且つ、ガイドレール１４ｂの長さ方向に沿って列設されるようになっている。また、この複数で列設されるガイドピース１４ａを両端から挟むように、一対のストッパー１４ｅがガイドレール１４ｂに対して嵌合される。この一対のストッパー１４ｅを互いに近づく方向へ押圧した状態でガイドレール１４ｂに対してネジ（不図示）によって固定することで、ガイドレール１４ｂの長さ方向に沿って列設される複数のガイドピース１４ａが相互に密着するようになっている。このとき、複数のガイドピース１４ａには、隣り合う一対のガイドピース１４ａによって糸収容空間Ｓが形成されている。なお、糸規制ガイド１４は、各糸１０をそれぞれ位置規制できるものであれば如何なるものであっても構わない。糸規制ガイドは、例えば、櫛形の一体ガイドでも、溝付のローラ形状のガイドでも、ドッグテールガイド等の単体の糸ガイドを並べたものであっても構わない。
【００３３】
（巻取部）
次に、巻取部３について説明する。巻取部３は、図１に示すように、紡糸引取部１の下方に配置されている。巻取部３は、第２ゴデットローラ１２から送られた複数の糸１０がそれぞれ分配される複数の振支点ガイド１３と、複数の振支点ガイド１３によって分配された糸１０をそれぞれ綾振る複数のトラバースガイド８と、トラバースガイド８によって綾振られた糸１０がそれぞれ巻き取られる複数のボビンＢと、複数のボビンＢが軸芯に沿って直列に装着される２本のボビンホルダ７と、ボビンホルダ７の一端が支持される円盤状のターレット６と、ターレット６を回転可能に支持する本体フレーム５と、本体フレーム５に対して上下方向に移動可能であり、ボビンホルダ７に装着されたボビンＢに対して離接するコンタクトローラ９とを有している。
【００３４】
ボビンホルダ７に装着された複数のボビンＢを回転させ、回転する複数のボビンＢにそれぞれ糸１０を巻き取る。このとき、ボビンＢに巻き取られる糸１０は、その直前にボビンＢの軸方向に往復移動可能なトラバースガイド８によって、複数の振支点ガイド１３を支点としてボビンＢの軸方向にそれぞれ綾振りされ、パッケージＰを形成する。また、コンタクトローラ９は、ボビンＢへの糸巻き取り時に、パッケージＰに所定の接圧を付与しながら回転し、パッケージＰの形状を整える。
【００３５】
ここで、上述した複数の振支点ガイド１３について、より詳細に説明する。複数の振支点ガイド１３は、図３に示すように、ガイド部材２３に、その長さ方向に並んでスライド可能に装着されている。ガイド部材２３は、その長さ方向がボビンホルダ７の軸心方向に対して平行になるように、２つの支持部材によって本体フレーム５に取り付けられている。隣接する振支点ガイド１３は、ベルト２４によって互いに連結されている。また、最も後方に位置する振支点ガイド１３には、スライダ２５が一体連結されている。ガイド部材２３内には、エアシリンダ２６が挿通されている。エアシリンダ２６内には、エアの供給によってその長さ方向に移動するピストン部材（図示略）が収容されている。ピストン部材（図示略）とスライダ２５にはそれぞれマグネットが装着されており、双方のマグネット間の磁力によってピストン部材（図示略）とスライダ２５が連結されている。つまり、ピストン部材（図示略）が駆動することによってスライダ２５が移動し、さらに、このスライダ２５の移動に伴って、複数の振支点ガイド１３が移動することになる。
【００３６】
複数の振支点ガイド１３は、スライダ２５が後方へ移動することによって、まず、スライダ２５と一体連結された最も後方に位置する振支点ガイド１３が移動する。最も後方に位置する振支点ガイド１３の移動に伴って、この振支点ガイド１３に取り付けられたベルト２４が徐々に張っていく。このベルト２４が完全に一直線となり、張り切ると、このベルト２４によって連結されるとともに最も後方に位置する振支点ガイド１３に隣接する振支点ガイド１３が移動していく。これを繰り返すことにより、すべてのベルト２４が張り切る。ここで、すべてのベルト２４が張り切った状態における複数の振支点ガイド１３の配置を、振支点ガイド１３の「生産位置」とする。また、前方にすべての振支点ガイド１３が集められ、隣り合う振支点ガイド１３同士が近接するときの振支点ガイド１３の配置を、振支点ガイド１３の「糸掛け位置」とする。この糸掛け位置は、第２ゴデットローラ１２の糸掛け位置および第１ゴデットローラ１１に近接する。
【００３７】
（電気的構成）
次に、紡糸巻取機１００の電気的構成について説明する。図４に示すように、紡糸巻取機１００の動作を制御する制御装置１５は、第１ゴデットローラ１１を駆動する第１ローラ駆動モータ１６、第２ゴデットローラ１２を駆動する第２ローラ駆動モータ１７、ターレット６を回転するターレット駆動モータ２０、ボビンホルダ７を回転させるボビン駆動モータ２１などを制御して、紡糸機２から紡出された複数の糸１０を複数のボビンＢにそれぞれ巻き取らせる。
【００３８】
これに加えて、制御装置１５は、糸掛け作業時にオペレータによって操作される操作部２２の信号が入力される。そして、制御装置１５は、操作部２２からの信号に基づき、ローラ昇降機構４のローラ昇降モータ１８への給電、及び、エアシリンダ２６に作動エアを供給するエアバルブ１９を制御し、第２ゴデットローラ１２を支持する昇降ブラケット２８および複数の振支点ガイド１３の移動を制御する。
【００３９】
（糸掛け）
紡糸機２から紡出されてくる複数の糸１０を、紡糸巻取機１００に掛ける糸掛け作業、及び、そのときの紡糸巻取機１００の動作について説明する。なお、糸掛け作業時、オペレータは、紡糸巻取機１００の前方側に立って作業を行う。
【００４０】
第２ゴデットローラ１２が生産位置にあり、且つ、複数の振支点ガイド１３が生産位置にある状態で、オペレータによって操作部２２が操作されると、制御装置１５は、ローラ昇降モータ１８を制御し、昇降ブラケット２８がスライドすることによって、図５に示すように、昇降ブラケット２８に取り付けられた第２ゴデットローラ１２を糸掛け位置に移動させる。これにともなって、ローラ昇降機構４に設置された糸規制ガイド１４もともに移動する。また、制御装置１５は、エアバルブ１９を制御してエアシリンダ２６を作動させ、複数の振支点ガイド１３を糸掛け位置に移動させる。これにより、第２ゴデットローラ１２が第１ゴデットローラ１１と近接し、さらに、複数の振支点ガイド１３が第２ゴデットローラ１２に近接した状態となる。このとき、第２ゴデットローラ１２および複数の振支点ガイド１３は、紡糸巻取機１００の前方端部にすべて移動した状態となる。すなわち、第２ゴデットローラ１２および複数の振支点ガイド１３は、オペレータが立つ紡糸巻取機１００の前方側に移動した状態となる。
【００４１】
この状態にしてから、オペレータは、紡糸機２から紡出される複数の糸１０をサクションガン２７で保持しつつ、第１ゴデットローラ１１、第２ゴデットローラ１２の順に糸掛けする。さらに、複数の糸１０のそれぞれを、複数の振支点ガイド１３にそれぞれ糸掛けしていく。なお、この糸掛けは、前方側と後方側のうち、どちらから行っても構わない。
【００４２】
第１ゴデットローラ１１に糸掛け後、且つ、第２ゴデットローラ１２に糸掛け前、糸規制ガイド１４の隣り合う一対のガイドピース１４ａによって形成された糸収容空間Ｓに、複数の糸１０をそれぞれ通す。これにより、第２ゴデットローラ１２の軸方向における複数の糸１０の移動を規制することができるため、振支点ガイド１３への糸掛け時、第２ゴデットローラ１２に巻き掛けられた複数の糸１０の脱落を防止することができる。また、第２ゴデットローラ１２の軸方向における複数の糸１０それぞれの位置を規制することができるため、糸掛け時のみならず生産時の複数の糸１０の走行を安定させることができる。
【００４３】
第２ゴデットローラ１２および複数の振支点ガイド１３は、オペレータが立つ紡糸巻取機１００の前方側に移動し、且つ、複数の振支点ガイド１３において、隣り合う振支点ガイド１３同士の間隔が小さい。従って、振支点ガイド１３への糸掛けが容易になる。また、第１ゴデットローラ１１と第２ゴデットローラ１２と複数の振支点ガイド１３とは、紡糸巻取機１００の前方端部において近接しているため、第１ゴデットローラ１１、第２ゴデットローラ１２および複数の振支点ガイド１３への糸掛けが容易になる。これにより、糸掛け作業に要する時間を短縮することができるため、糸掛け作業の作業性を向上させることができる。また、糸掛け時間の短縮によって、廃棄される糸１０の量を減らすことができるため、コストを削減することができる。また、一部の振支点ガイド１３において糸掛けが失敗した場合であっても、複数の振支点ガイド１３を再度糸掛け位置に戻し、糸掛けが失敗した振支点ガイド１３についてのみ糸掛けを行えばよいため、振支点ガイド１３への糸掛けのやり直し作業も容易である。
【００４４】
第１ゴデットローラ１１、第２ゴデットローラ１２および複数の振支点ガイド１３への糸掛け終了後、オペレータによって操作部２２が操作されると、制御装置１５は、まず、図６に示すように、ローラ昇降モータ１８を制御して第２ゴデットローラ１２を生産位置に向けて移動させる。さらに、制御装置１５は、エアバルブ１９を制御してエアシリンダ２６を作動させ、図７に示すように、複数の振支点ガイド１３を、生産位置に向けて離散させる。このとき、複数の振支点ガイド１３が糸掛け位置から生産位置へ移動完了する前に、第２ゴデットローラ１２を糸掛け位置から生産位置へ移動完了させる。これらは、例えば、制御装置１５に内蔵されたタイマ回路によって実現することができる。なお、第２ゴデットローラ１２および複数の振支点ガイド１３の移動速度および移動開始のタイミングは、複数の振支点ガイド１３が糸掛け位置から生産位置へ移動完了する前に、第２ゴデットローラ１２を糸掛け位置から生産位置へ移動完了することが可能であれば、適宜設定して構わない。
【００４５】
ここで、第２ゴデットローラ１２が糸掛け位置から生産位置へ移動完了する前に、複数の振支点ガイド１３が生産位置にそれぞれ戻った場合、特に、紡糸巻取機１００の後方側に位置する振支点ガイド１３に掛かる糸１０の屈曲角が大きくなってしまう。糸１０の屈曲角が大きいと、糸１０と振支点ガイド１３との間にかかる接触抵抗が大きくなる。これにより、第２ゴデットローラ１２に巻き掛けられた糸１０が緩み、単糸が巻き付くなどの問題が生じるおそれがある。
【００４６】
上述したように、複数の振支点ガイド１３が糸掛け位置から生産位置へ移動完了する前に、第２ゴデットローラ１２を糸掛け位置から生産位置へ移動完了させることによって、紡糸巻取機１００の後方側に位置する振支点ガイド１３に掛かる糸１０の屈曲角が大きくなることを抑制することができる。これにより、第２ゴデットローラ１２に巻き掛けられた糸１０が緩み、単糸が巻き付くなどの問題を防止することができる。
【００４７】
以上、本発明の好適な実施の形態について説明したが、本発明は上述の実施形態や実施例に限られるものではなく、特許請求の範囲に記載した限りにおいて様々な設計変更が可能なものである。
【００４８】
上記の実施形態では、振支点ガイド１３が８個設置されている場合について記載するが、振支点ガイド１３の設置数は、この限りではない。振支点ガイド１３は、何個設置されていても構わない。
【００４９】
また、上記の実施形態では、振支点ガイド１３を移動させる機構として、エアシリンダ２６を適用しているが、この限りではない。複数の振支点ガイド１３を、糸掛け位置と生産位置とに移動可能な機構であれば、これと異なる機構であっても構わない。例えば、振支点ガイド１３をリニアモータ等の電動機で駆動して、糸掛け位置と生産位置の間を移動するように構成してもよい。
【００５０】
また、上記の実施形態では、糸規制ガイド１４は、巻き掛け時の糸の脱落防止および糸の走行安定を兼ねているが、いずれか一方のために設けても構わない。例えば、巻き掛け時の糸の脱落防止のみのために糸規制ガイドを設ける場合、糸規制ガイドは、第２ゴデットローラ１２の糸掛け位置近傍に設置されていればよく、上記の実施形態のように昇降可能でなくても構わない。
【００５１】
また、上記の実施形態では、糸規制ガイド１４は、第２ゴデットローラ１２とともに昇降するが、糸規制ガイド１４のみ、独立して移動することができる機構を設けても構わない。
【００５２】
また、上記の実施形態では、糸規制ガイド１４は、第２ゴデットローラ１２近傍でローラ昇降機構４に設置され、第２ゴデットローラ１２とともに昇降するもののみであるが、例えば、糸規制ガイドは、第２ゴデットローラ１２近傍でローラ昇降機構４に設置され、第２ゴデットローラ１２とともに昇降する糸規制ガイド１４と、第１ゴデットローラ１１近傍でローラ昇降機構４に設置された糸規制ガイドとの２種で構成されていても構わない。
【００５３】
また、上記の実施形態では、第１ゴデットローラ１１に糸掛け後、且つ、第２ゴデットローラ１２に糸掛け前、糸規制ガイド１４の隣り合う一対のガイドピース１４ａによって形成された糸収容空間Ｓに、複数の糸１０をそれぞれ通すと記載したが、第１ゴデットローラ１１に糸掛けし、第２ゴデットローラ１２に糸掛けした後、糸規制ガイド１４の隣り合う一対のガイドピース１４ａによって形成された糸収容空間Ｓに、複数の糸１０をそれぞれ通しても構わない。
【００５４】
また、上記の実施形態では、第２ゴデットローラ１２および振支点ガイド１３を制御装置１５によって制御し、自動で動かしているが、例えば、オペレータが、それらを手動で動かしても構わない。また、第２ゴデットローラ１２と振支点ガイド１３の一方を手動で動かし、他方を自動で動かしても構わない。すなわち、例えば、振支点ガイド１３の糸掛け位置と生産位置の移動は、オペレータが手動で行うようにしても良い。このとき、動作が可能であることを示す表示ランプを設けたり、動作を停止させるストッパ機構を設けたりして、制御装置１５からの信号でランプが点灯してオペレータに作業を促したり、制御装置１５からの信号でストッパ機構が解除されることで動作が可能になるようにすることで作業の手順が予め決められた順序で行われるようにすることが望ましい。
【００５５】
また、上記の実施形態では、紡出された複数の糸１０に対して、熱処理を行うことなく巻き取る紡糸巻取機１００であるが、例えば、紡糸巻取機は、紡出された複数の糸１０を加熱して延伸するための装置を備えていても構わない。つまり、延伸糸を巻取部で巻き取る紡糸巻取機にも適用することができる。
【符号の説明】
【００５６】
１  紡糸引取部
３  巻取部
４  ローラ昇降機構
１１  第１ゴデットローラ
１２  第２ゴデットローラ
１３  振支点ガイド
１４  糸規制ガイド
１００  紡糸巻取機
【図１】
2015078455.tif 000003
【図２】
2015078455.tif 000004
【図３】
2015078455.tif 000005
【図４】
2015078455.tif 000006
【図５】
2015078455.tif 000007
【図６】
2015078455.tif 000008
【図７】
2015078455.tif 000009
【図８】
2015078455.tif 000010
【手続補正書】
【提出日】平成26年10月15日(2014.10.15)
【手続補正１】
【補正対象書類名】明細書
【補正対象項目名】０００９
【補正方法】変更
【補正の内容】
【０００９】
また、一部の振支点ガイドにおいて糸掛けが失敗した場合であっても、複数の振支点ガイドを再度糸掛け位置に戻し、糸掛けが失敗した振支点ガイドについてのみ糸掛けを行えばよいため、振支点ガイドへの糸掛けのやり直し作業も容易である。
【手続補正２】
【補正対象書類名】明細書
【補正対象項目名】００２３
【補正方法】変更
【補正の内容】
【００２３】
【図１】紡糸巻取機の正面図である。
【図２】図１の第１ゴデットローラと第２ゴデットローラと振支点ガイドとの斜視図である。
【図３】糸規制ガイドの斜視図である。
【図４】振支点ガイドと振支点ガイドが装着されたガイド部材とガイド部材に挿通されたエアシリンダの斜視図である。
【図５】紡糸巻取機の電気的構成を概略的に示すブロック図である。
【図６】複数の振支点ガイドへの糸掛け工程を説明する図である。
【図７】糸掛け終了後のゴデットローラの移動を示す図である。
【図８】糸振支点ガイドの移動を示す図である。
【手続補正３】
【補正対象書類名】明細書
【補正対象項目名】００２８
【補正方法】変更
【補正の内容】
【００２８】
第２ゴデットローラ１２は、その軸芯がボビンホルダ７の軸芯と直交して配置される。第２ゴデットローラ１２は、第１ゴデットローラ１１の後方上部に配置される。第２ゴデットローラ１２は、糸掛け位置（図１、図２の鎖線で示す位置）と、生産位置（図１、図２の実線で示す位置）との間で移動可能となっている。ここで、第２ゴデットローラ１２の「糸掛け位置」とは、第２ゴデットローラ１２がローラ昇降機構４の端部に設置された第１ゴデットローラ１１および後述する複数の振支点ガイド１３の糸掛け位置に近接する位置のことである。また、第２ゴデットローラ１２の「生産位置」とは、糸掛け位置よりも後方上部であり、且つ、後述する複数の振支点ガイド１３の並び方向の略中央の上方の位置のことである。
【手続補正４】
【補正対象書類名】明細書
【補正対象項目名】００３２
【補正方法】変更
【補正の内容】
【００３２】
糸規制ガイド１４は、図３に示すように、複数で列設されるガイドピース１４ａと、このガイドピース１４ａを支持するガイドレール１４ｂとを備える。ガイドレール１４ｂには、断面Ｃ字状の蟻溝１４ｃが形成され、この蟻溝１４ｃに係合する係合突起１４ｄが各ガイドピース１４ａに設けられている。各ガイドピース１４ａの係合突起１４ｄをガイドレール１４ｂの蟻溝１４ｃと係合させることにより、複数のガイドピース１４ａがガイドレール１４ｂによって支持され、且つ、ガイドレール１４ｂの長さ方向に沿って列設されるようになっている。また、この複数で列設されるガイドピース１４ａを両端から挟むように、一対のストッパー１４ｅがガイドレール１４ｂに対して嵌合される。この一対のストッパー１４ｅを互いに近づく方向へ押圧した状態でガイドレール１４ｂに対してネジ（不図示）によって固定することで、ガイドレール１４ｂの長さ方向に沿って列設される複数のガイドピース１４ａが相互に密着するようになっている。このとき、複数のガイドピース１４ａには、隣り合う一対のガイドピース１４ａによって糸収容空間Ｓが形成されている。なお、糸規制ガイド１４は、各糸１０をそれぞれ位置規制できるものであれば如何なるものであっても構わない。糸規制ガイドは、例えば、櫛形の一体ガイドでも、溝付のローラ形状のガイドでも、ドッグテールガイド等の単体の糸ガイドを並べたものであっても構わない。